Podtech/llm-jp-corpus-v4-ja_patent huggingface dataset:
(57)【要約】【構成】外側がビニールまたはゴムのような柔軟な材質からなり、内部に空気を送入する子供用浮き具であって、子供が腹ばいになって腰から上の上半身をのせることができる進行方向に長い浮き本体からなり、この浮き本体には、子供が腹ばいになつてあごを載せる突出部と、それぞれの手で握る左右の取っ手と、腹ばいになったときに子供の胸部がはまる凹み部分と、この凹み部分の左右両側にあって子供の体をずれないようにする凸状の胴体保持部分とを設け、さらに、この浮き本体の底面には、進行方向に沿って断面波型の複数の平行な突起部分を設けたことを特徴とする。【効果】体を水平にしても顔が水につくことがないから、子供が恐怖感をもたないだけでなく、腹ばいになったとき胸部がはまる凹み部分と、その両側に設けられた一連の凸状の胴体保持部分によつて子供の体が左右にずれることなく、親に抱かれているような感じを与えるから、安心して楽しくバタ足の練習をすることができる。【選択図】        図１
2004337542.tif 000002
【特許請求の範囲】
【請求項１】
外側がビニールまたはゴムのような柔軟な材質からなり、内部に空気を送入する子供用浮き具であって、子供が腹ばいになって腰から上の上半身をのせることができる進行方向に長い浮き本体からなり、この浮き本体には、子供が腹ばいになってあごを載せる突出部と、それぞれの手で握る左右の取っ手と、腹ばいになったときに子供の胸部がはまる凹み部分と、この凹み部分の左右両側にあって子供の体をずれないようにする凸状の胴体保持部分とを設け、さらに、この浮き本体の底面には、進行方向に沿って断面波型の複数の平行な突起部分を設けたことを特徴とする子供用浮き具。
【発明の詳細な説明】
【０００１】
【産業上の利用分野】
この発明は、顔を水につけるのをこわがる３才〜５才ぐらいの子供に、水をこわがることなく、水泳の基本となるバタ足の練習を楽しくすることができるようにしたものである。
【０００２】
【従来の技術】
従来の浮き輪は、子供の体を完全に浮かせるものであって、子供の体が水面に対して垂直になるから、バタ足はできないし、無理に体を水平にしょうとすると、顔が水につかるので、こわくなり、親に抱きついてしまい、また、板状の浮きを与えても抱きかかえてしまい安定が悪くなるから、バタ足を教えるのが困難であるという欠点があった。
【０００３】
【発明が解決しようとする課題】
体を水平にしても顔が水につかないようにして恐怖感をなくする。また顔が水につかないだけでなく、親から抱きかかえられているような感じを与えて安心してバタ足の練習をさせることができる子供用浮き具を提供しようとするものである。
【０００４】
【課題を解決するための手段】
この発明の子供用浮き具は、外側がビニールまたはゴムのような柔軟な材質からなり、内部に空気を送入して膨らますものであって、子供が腹ばいになって腰から上の上半身をのせることができる進行方向に長い浮き本体からなり、この浮き本体には、子供が腹ばいになつてあごを載せる突出部と、それぞれの手で握る左右の取っ手と、腹ばいになったときに子供の胸部がはまる凹み部分と、この凹み部分の左右両側にあつて子供の体をずれないようにする凸状の胴体保持部分とを設け、さらに、この浮き本体の底面には、進行方向に沿って断面波型の複数の平行な突起部分を設けたことを特徴とするものである。
【０００５】
【実施例】
図１は本発明の浮き具の１実施例の表面を上方から見た図面であり、１は浮き本体であって、進行方向に長く、その上に子供（例えば３才〜５才）が腹ばいになって腰から上の上半身をのせることができるような長さになっている。
【０００６】
図１において、２は子供が腹ばいになった時に子供の胸部がはまる凹み部分であって、進行方向に細長く形成されており、３はその凹み部分の両側に設けられた一連の凸状の胴体保持部分であつて、上記凹み部分２と協力して子供の体が左右にずれないようにして、子供に親から抱きかかえられているような感じを与えるから、子供は安心してバタ足の練習をすることができる。
【０００７】
図１において、４は顔を水面から確実にあげるために、腹ばいになってあごを載せる突出部であつて、浮き本体１の前方の中央部に設ける。あごを載せたときに、のどを圧迫しないような形状にするとともに、空気調節器６をこの突出部に取り付け空気を少しづつ出せば子供が苦しくないように調節できる。
その空気調節器６は、この突出部と一体に構成され、孔の中に栓を圧入する形式のものでよく、それによる空気の出し入れによつて突出部の高さを子供の体に適合するように調節できる。ひも９を引いて練習中に浮きを前進させてもよい。
【０００８】
図１において、５は、あご載せ突出部４の前方の左右に設けられた取っ手であって、子供が腹ばいになつたとき、左右の手でにぎるようになっている。
【０００９】
図３は，図１のＸ−Ｘ線における断面図を示し、浮き本体１の底面には、進行方向に沿って断面波型の複数の平行な突起部分８が設けられている。この進行方向に沿った複数の波型突起８を設けることによって水の抜けがよくなる。
【０００１０】
【作用】
本発明の浮き具を使用するには、最初に図１の空気栓７から空気を供給することによつて、例えば点線１０のように空気が流れ、図３の断面図に示すように両側の細長い凸部３，３と、それを支える前後に細長い各室８とは、各室８の前後の端から空気が入り、そして小孔１１，１１を介して凸部３，３にも入り、膨らむようになつている。
バタ足を練習しょうとする子供は、図２のように浮き本体１の上に腹ばいになり、あごを突出部４に載せ、左右の手でもつて左右の取っ手５をそれぞれにぎると、その子供の胸部は凹み部分２にはまり、その両側の一連の凸状部分３とによつて体はずれることがないから、また顔は突出部４によって水より上にあるから、子供は安心してバタ足の練習をすることができる。
【０００１１】
【発明の効果】
以上説明したように、本発明の子供用浮き具は、（１）体を水平にしても顔が水につくことがないから、子供が恐怖感をもたないだけでなく、（２）腹ばいになったとき胸部がはまる凹み部分と、その両側に設けられた一連の凸状の胴体保持部分によつて子供の体が左右にずれることなく、親に抱かれているような感じを与えるから、子供は安心して楽しくバタ足の練習をすることができる。また（３）今までプールサイドで手すりにつかまりながら、または親に手を引かれながら、バタ足の練習をする時には、バタ足のよし悪しによつてどれだけ差がでるのか、子供本人にはわからなかつたが、本発明によれば、バタ足がよければそれだけ、前進できることを子供自身が感じることができる。
【図面の簡単な説明】
【図１】本発明の子供用浮き具の実施例を示す。
【図２】本発明の子供用浮き具の上に上半身をのせた状態を示し、あごを突出部に載せ、左右の手で左右の取っ手をにぎっている。
【図３】図１のＸ−Ｘ線における断面図を示す。
【符号の説明】
１    浮き具本体
２    子供の胸部がはまる凹み部分
３    凸状の胴体保持部分
４    あごを載せる突出部分
５    取っ手
６    空気調節器
７    空気栓
８    断面波型の突起
９    紐（ひも）
１０  空気の流れ（点線）
１１  空気が通る小孔
【図１】
2004337542.tif 000003
【図２】
2004337542.tif 000004
【図３】
2004337542.tif 000005
(57)【要約】【課題】床等のほこりやチリや髪の毛などを拭う、スリッパ装着式の使い捨て拭き掃除具を提供する。【解決手段】基盤（１）表先端部につま先掛部（２）を設け、基盤（１）裏後端部にかかと掛部（３）を設けたことを特徴とする。【選択図】  図１
2004337554.tif 000002
【特許請求の範囲】
【請求項１】
不織布からなるスリッパ底形状の基盤（１）の表面先端につま先掛部（２）を設け、基盤（１）裏面後端にかかと掛部（３）を設ける。
以上よりなるスリッパに装着する拭き掃除具。
【発明の詳細な説明】
【０００１】
【発明の属する技術分野】
この発明は、床などに落ちているほこりやチリや髪の毛等を取り除くためのスリッパに装着する使い捨て式の拭き掃除具に関するものである。
【０００２】
【従来の技術】
従来より、スリッパに装着する拭き掃除具があった。
その仕組みは、図４に示すように基盤（１）表面先端につま先掛部（２）が設けられ、後端にはかかと掛部（３）が設けられている。それは基盤（１）にスリッパを置き、スリッパの先端につま先掛部（２）を覆い被せ、かかとにかかと掛部（３）を覆い被せたものであった。
【０００３】
【発明が解決しようとする課題】
これは次のような問題点があった。
スリッパに取り付けた掃除具が歩きまわることにより、かかと部分がゆるんでスリッパからはずれてしまった。
本発明は、以上の問題点を解決するためになされたものである。
【０００４】
【課題を解決するための手段】
スリッパ底形状の基盤（１）の表面先端につま先掛部（２）を設ける。
そして、基盤（１）の裏面後端にかかと掛部（３）を設ける。
本発明は、以上の構成よりなるスリッパに装着する拭き掃除具である。
【０００５】
【発明の実施の形態】
以下、本発明の実施の形態を説明する。
（イ）  不織布材質からなるスリッパ底形状の基盤（１）の表先端部に、フード状のつま先掛部（２）を一体化して設ける。
（ロ）  基盤（１）の裏後端部にフード状のかかと掛部（３）を一体化して設ける。
本発明は、以上の構成よりなっている。
本発明を使用する時は、図３に示すようにスリッパのつま先部分をつま先掛部（２）に挿入し固定させ、次にかかと掛部（３）をスリッパのかかとの縁全体を基点とし、スリッパのかかとに沿わせながら表側にひっくり返して、スリッパのかかと全体を包み込む様に装着する。
【０００６】
【発明の効果】
使い捨てなので衛生的であり、スリッパのつま先部分とかかと部分にしっかり固定される為、はずれることもなく安定して掃除ができる。
【図面の簡単な説明】
【図１】本発明の斜視図である。
【図２】本発明の断面図である。
【図３】本発明の使用状態を示した斜視図である。
【図４】従来品の斜視図である。
【符号の説明】
１  基盤          ２  つま先掛部
３  かかと掛部    ４  挿入口
５  空間部
【図１】
2004337554.tif 000003
【図２】
2004337554.tif 000004
【図３】
2004337554.tif 000005
【図４】
2004337554.tif 000006
(57)【要約】      （修正有）【課題】天然放射性稀有元素鉱物を利用したセラミック製健康用具の提供。【解決手段】多くの実験で認められている低線量放射線によるホルミシス効果を利用して人体の血液循環作用の悪化を改善する効果をもつ、遠赤外線温熱効果を得られるセラミック製の健康用具を発明した。【選択図】  図１
2004337559.tif 000002
【特許請求の範囲】
【請求項１】
イオン対やラジカルを生成する天然放射性稀有元素鉱物の微粉末を配合して焼結させたことを特徴とするセラミック製健康用具。
【請求項２】
低線量の放射線を放射することを特徴とする請求項１記載のセラミック製健康用具。
【請求項３】
セラミック片の表面が突起状を有しており、あたかも針灸の代替品用として身体に貼付することを目的とする請求項１から請求項２に記載のセラミック製健康用具。
【請求項４】
天然放射性稀有元素鉱物がラドン鉱石又は／或いはトロンを含有する鉱石であることを特徴とする請求項１から請求項３に記載のセラミック製健康用具。
【請求項５】
電気石等の花崗岩石粉末を配合したことを特徴とする請求項１から請求項４に記載のセラミック製健康用具。
【請求項６】
少なくとも請求項１から請求項５記載の２つ以上の原材料を配合したことを特徴とするセラミック製健康用具。
【請求項７】
医療用具の用途として使用されることを特徴とする請求項１から請求項６に記載のセラミック製健康用具。
【請求項８】
身体運動能力向上の用途として使用されることを特徴とする請求項１から請求項６に記載のセラミック製健康用具。
【発明の詳細な説明】
【０００１】
【発明の属する技術分野】本発明は、天然放射性稀有元素鉱物を配合して焼結させたセラミックを製作し、該セラミックがもつ人体に対する放射線ホルミシス効果を健康用具として利用できるようにしたものである。
【従来の技術】
【０００２】肩こり症状はストレスや疲労が溜まることで発症するが、これは酸素と栄養物の運搬者である血液の循環作用が悪化し、生理的代謝作用が低下することで老廃物が溜まり、この老廃物が筋肉の神経を刺激して痛みを出すことによるものである。
冷え症や寒いところにいると、人は自然に前かがみの姿勢で肩をすくめ、身体を固くしてしまう。また、このような姿勢をとらないまでも身体が冷えると血管が収縮して血行が悪くなってしまい肩こりの症状を発症する。
一般に、肩こりの解消にはマッサージ、カイロプラクティクス、針灸、磁気貼付医療用具、湿布剤など様々な改善法、解消法が単独、或いは複合して用いられているがその療法の大部分は筋肉の緊張をほぐすことを第一の目的としている。
【発明が解決しようとする課題】
【０００３】人体の血液循環作用が悪化すると生理的代謝作用が低下し血流および組織内に疲労物質、老廃物、中性脂肪、コレステロールが滞留することで肩こり症状や身体筋肉の疲労が発症する。
このことから簡便な方法で肩こりの根本的解決を図るためには、悪化した人体血流の循環作用を改善する用具又は／或いは療法が求められていた。
【課題を解決するための手段】
【０００４】上記目的を解決するために、多くの実験で認められている低線量放射線によるホルミシス効果を利用し、人体の血液循環作用の悪化を改善するとともに遠赤外線効果を得られるセラミック製の健康器具を発明した。
【０００５】低線量放射線を療法に使用すると、例えば、血管拡張作用をもつα−ＡＮＰホルモンや鎮痛作用をもつβエンドルフィン、血糖量調整作用をもつインスリンといったホルモン分泌が増加し、生体の調整機能を高める放射線ホルミシス効果を獲得することができると公知されている。その他、ＳＯＤやＧＰｘなどの抗酸化物質の増加、生体防御機能の活性化、老化抑制効果、がんの抑制効果、遺伝子損傷修復機構の活性化などの効果も獲得できることも公知されている。
【０００６】放射線ホルミシス効果を得ることができるラドン濃度は、例えば、日本の三朝温泉のラドン温泉は２０００Ｂｑ／立法ｍ、低線量放射線を医療行為に幅広く利用しているオーストリアのバドガシュタインは１６００００Ｂｑ／立法ｍである。
【０００７】
【発明の実施の形態】
発明の実施の形態を実施例にもとづき図面を参照して説明する。
図１、図２において、セラミック片の形状を示す。
なお、本発明は本実施例、図１、図２の形状に制限を受けるものではない。
【０００８】本発明は、三朝温泉と同等の２０００Ｂｑ／立法ｍ濃度のラドン鉱石粉末３０重量％を粘度粉に配合し焼結してセラミックとした。
【０００９】このセラミック片は磁気貼付医療用具に使用している貼付用テープを使い、人体皮膚に貼付して使用する。
【発明の効果】
【００１０】本発明のセラミック片は、低線量放射線による放射線ホルミシス効果、セラミックによる遠赤外線温熱効果、該セラミックの突起状部分が皮膚に当たることによる指圧効果・針灸様効果をもたらすことから直接的に人体の血液循環を改善して肩こりが改善する。
【図面の簡単な説明】
【図１】セラミック片の縦断面図である。
【図２】セラミック片の平面図である。
【符号の説明】
▲１▼突起部分。皮膚面に直接当たるように貼付する。
▲２▼セラミック片の底部。皮膚に貼付するためのテープに貼付する。
【図１】
2004337559.tif 000003
【図２】
2004337559.tif 000004
(57)【要約】【目的】椅子に上下調整が出来るハンガーを設けた、快適生活具を提供する。【構成】ハンガー滑り板等（１）の上部にハンガー固定ボルト．ナット（９）（９），によりハンガー（ａ）（ｂ）を設け、ハンガー滑り板等（１）の下部に、ハンガー滑り板等上げ下げ調整装置（２）（２），並びに調整ボルト．ナット（３）（３），（４）（４），を設け、ハンガー滑り板等垂直固定装置（５）（５），（６）（６），により、椅子背支持パイプ等を挟む様  に固定ボルト．ナット（７）（７）．（８）（８）によって固定する。【選択図】        図１
2004337552.tif 000002
【特許請求の範囲】
【請求項１】
ハンガー滑り板等（１）の上部にハンガー固定ボルト．ナット（９）（９），によりハンガー（ａ）（ｂ）を設け、ハンガー滑り板等（１）の下部に、ハンガー滑り板等上げ下げ調整装置（２）（２），並びに調整ボルト．ナット（３）（３），（４）（４），を設け、ハンガー滑り板等垂直固定装置（５）（５），（６）（６），により、椅子背支持パイプ等を狭む様に固定ボルト．ナット、（７）（７），（８）（８），によって固定した、椅子にハンガーを設けた事を特徴とした椅子ハンガー。
【発明の詳細な説明】
【０００１】
【産業上の利用分野】
本発明は、ハンガー滑り板等（１）の上部にハンガー固定ボルト．ナット（９）（９），によりハンガー（ａ）（ｂ）を設け、ハンガー滑り板等（１）の下部にハンガー滑り板等上げ下げ調整装置（２）（２），並びに調整ボルト．ナット（３）（３），（４）（４），を設け、ハンガー滑り板等垂直固定装置（５）（５），（６）（６），により、椅子背支持パイプ等を挟む様に固定ボルト．ナット（７）（７），（８）（８），によって固定し、椅子にハンガーを設けた事を特徴とした帽子、コート等を簡単に掛けられるようにした椅子ハンガーに関するものである。
【０００２】
【従来の技術】
従来椅子にはハンガーが装備されていないので背もたれ等を利用したり又は折り重ねたりして上着等を置いた。
【０００３】
【発明が解決しようとする課題】
これは次のような欠点があった。
（イ）従来椅子の背もたれ等を利用して上着等を掛けておいたが背と背もたれとの間で上着等が圧縮され形をくづすので心配した。
（ロ）上着等の置く場所を見つけなければと心配した。
本発明は、これらの欠点を除くためになされたものである。
【０００４】
【課題を解決するための手段】
椅子の背もたれ後部に
【請求項１】を設けて、帽子、コート等を簡単にに掛けられるようにした。
本発明は、以上のような構成よりなる椅子ハンガーである。
【０００５】
【作用】
椅子の背もたれ後部に
【請求項１】を設けて、帽子、コート等を簡単に掛けられるようにした快適生活具である。
【０００６】
【実施例】
実施例について図面を参照して説明すると、図１において、
（イ）  ハンガー滑り板等（１）の上部にハンガー固定ボルト．ナット（９）（９），によりハンガー（ａ）（ｂ）を設ける。
（ロ）ハンガー滑り板等（１）の下部に、ハンガー滑り板等上げ下げ調整装置（２）（２），並びに調整ボルト．ナット（３）（３），（４）（４），を設ける。
（ハ）ハンガー滑り板等垂直固定装置（５）（５），（６）（６），により、椅子背支持パイプ等を挟む様に固定ボルト．ナット（７）（７），（８）（８），によって固定する。
「注」ハンガー滑り板等垂直固定装置（５）（５），（６）（６），はそれぞれ厚さの異なる板で構成されているのでそれらを組み合わせることで垂直固定が可能である。
微調整は（５）（５），（６）（６），の取り付け間隔を調整する。
なお図３に示すように椅子を製造するときにハンガー滑り板等上げ下げ調整装置（２）を備えておけば形の変わった椅子にもハンガーを簡単に取り付けることとが出来る。
【０００７】
【発明の効果】
本発明は、以上説明したように構成されているので、以下に記載されるような効果を奏する。
（イ）  脱いだものが側にあるので安心である。
（ロ）  ハンガーに掛かっているので形が崩れない。
（ハ）  椅子にハンガーを飾りとして設ける事により新感覚の椅子が生まれる。
【図面の簡単な説明】
【図１】本発明の正面斜視図
【図２】本発明の側面斜視図
【図３】本発明の他の実施例を示す正面斜視図
【符号の説明】
１            ハンガー滑り板等
ａ、ｂ        ハンガー
２、２，      ハンガー滑り板等上げ下げ調整装置
３、３，４、４，      調整ボルト．ナット
５、５，６、６，      ハンガー滑り板等垂直固定装置
７、７，８、８，      固定ボルト．ナット
９、９，      ハンガー固定ボルト．ナット
【図１】
2004337552.tif 000003
【図２】
2004337552.tif 000004
【図３】
2004337552.tif 000005
(57)【要約】      （修正有）【解決手段】磁石などの壁面接着可能な器具を取り付けた保持部１に、引掛部２，３を保持部の垂直軸周りに回転自在になるように装着した構造からなる本立てフックを提供する。【効果】料理本にあわせて冷蔵庫に接着できるので場所もとらず本も汚れる心配がない。また本の大きさに合わせることができるので本のサイズを問わず差し込むことができる。また保持部は棒状であるので本の文字を読み取るのに邪魔にならない。よって使用者が料理の下ごしらえをする時など、料理本を参考にしながら料理を行うことが容易である。またパソコン周辺などに取り付け書見台として使用することもできる。【選択図】          図４
2004337555.tif 000002
【特許請求の範囲】
【請求項１】
壁面接着器具を設けた保持部１に引掛部２・３を装着し、その引掛部２・３が保持部Ａの垂直軸周りに回転自在になるようにした構成による本立てフック。
【発明の詳細な説明】
【０００１】
【産業上の利用分野】
本発明は、保持部１に引掛部２・３を装着し、保持部１または引掛部２または引掛部３で壁面に取り付けることを可能にした本立てフックに関するものである。
【０００２】
【従来の技術】
従来より、フックは各種考案されている。
本発明の主な使用目的は、壁面本立てまたはティッシュ箱ホルダ・小物を吊り下げる物掛けなどである。しかし従来品にはその個々の目的に沿うためのものは多々あるが、これらの目的をすべて網羅できる品はない。
【０００３】
【発明が解決しようとする課題】
本発明の主な使用目的は、壁面本立て・ティッシュ箱ホルダ・小物を吊り下げる物掛けなどである。
壁面本立てについては、料理時において料理の本を置くスペースが台所には少ないので不便であった。また調理台に置くと調味料や油がかかったりまた調理に邪魔になったりしていた。
ティッシュ箱ホルダについては、ティッシュは身近に置いておきたいものであるが意外と置く場所がなかったり邪魔になったりしている。本立てもティッシュ箱ホルダも、従来品にはその個々の目的に沿うものは多々あるが、これらの目的をすべて網羅できる品はなかった。本発明は、これらの欠点を解決するために発明されたものである。
【０００４】
【この課題を解決するための手段】
上記の目的を達成するための本発明の本立てフックは、磁石などの壁面接着可能な器具を取り付けた保持部１に、引掛部２・３を、保持部１の垂直軸周りに回転自在になるように装着した構造からなるものである。
【０００５】
【作用】
この本立てフックは、保持部１に接着した磁石や吸着板等で壁面に取り付けることが可能である。引掛部２または引掛部３で壁面の突起部６にかけることも可能である。本発明の引掛部３を下にして壁面に２本を平行に保持部１で取り付け、引掛部３と保持部１の間に本４を差し込むと書見台として使用できる。またティッシュ箱５の２辺の角に引掛部３を各々差込み保持部１または引掛部２で壁面に取り付けるとティッシュ箱ホルダとして使用できる。
また引掛部２を下にして壁面に取り付けると従来のフックとして使用できる。その場合、上部となった引掛部３は壁面に平行に沿わせる。
【０００６】
【実施例】
本発明の実施例を、図面を参照して説明する。
図１は本発明に係る本立てフックの斜視図である。図２は同じく底面図、図３は同じく平面図である。図１に示すように、保持部１に引掛部２・３を装着したものである。保持部１には磁石や吸着板などの壁面に接着可能な器具をつける。図２に示すように引掛部２と３は保持部１の垂直軸周りに矢印方向に回転する。
実施例１として、図４に示すように、見書台として使用する。本発明の本立てフック２本を壁面に引掛部３を下にして保持部１で平行に取り付け、引掛部３と保持部１の間に本４を差し込む。
実施例２として、図５に示すように、ティッシュ箱ホルダとして使用する。ティッシュ箱５の両角に引掛部３を突き刺し保持部１で壁面に接着させる。図６に示すように、引掛部２を壁面の突起物６に引っ掛け取り付けることもできる。図７に示すように引掛部３のさし方によってはティッシュ箱５を縦・横方向どちらでも取り付けることができる。
実施例３として、引掛部２を下にして取り付けると従来のフックとして使用できる。その場合引掛部Ｃは壁面に平行になるので危なくなく邪魔にならない。
【０００７】
【発明の効果】
以上、説明したように、本発明は、保持部１に引掛部２・３を装着し、保持部１または引掛部２または引掛部３で壁面に取り付けることを可能にした本立てフックである。
実施例１の効果について。本発明の本立てフックは、料理本にあわせて冷蔵庫に接着できるので場所もとらず本も汚れる心配がない。また本の大きさに合わせることができるので本のサイズを問わず差し込むことができる。また保持部３は棒状であるので本の文字を読み取るのに邪魔にならない。よって使用者が料理の下ごしらえをする時など、料理本を参考にしながら料理を行うことが容易である。またパソコン周辺などに取り付け書見台として使用することもできる。
実施例２の効果について。本発明の本立てフックは、ティッシュ箱ホルダとして、スチール机や冷蔵庫・洗面所等どこにでも取り付けることができる。フックの引掛部３の刺し方によりティッシュ箱を縦・横どちらの方向にも取り付けることもできる。
実施例３の効果について。引掛部２を下にして壁面に接着させると従来のフックとして使用することができる。引掛部２を下にして使用する場合でも引掛部３を下にして使用する場合でも、上の曲がった部分は壁面に平行して沿うので危なくなく邪魔にもならない。
使用しない場合、引掛部２・３を壁面に沿わせることができるので場所をとらない。
以上、本発明の実施例について説明したが、本発明は上記実施例に限定されるものではなく、本発明の要旨の範囲内において適宜変形実施可能である。
【図面の簡単な説明】
【図１】本発明に係るフックの斜視図
【図２】同じく底面図
【図３】同じく側面図
【図４】書見台としての使用状態説明図
【図５】ティッシュ箱ホルダとしての使用状態説明図
【図６】同じくティッシュ箱ホルダとしての使用状態説明図
【図７】同じくティッシュ箱ホルダとしての使用状態説明図
【符号の説明】
１保持部
２引掛部
３引掛部
４料理本
５ティッシュ箱
６釘等突起物
【図１】
2004337555.tif 000003
【図２】
2004337555.tif 000004
【図３】
2004337555.tif 000005
【図４】
2004337555.tif 000006
【図５】
2004337555.tif 000007
【図６】
2004337555.tif 000008
【図７】
2004337555.tif 000009
(57)【要約】      （修正有）【課題】磁石の吸着力を効率的に利用し，フックの保持力を大きくする磁石式シート型安全フックの構造を提供する。【解決手段】シート型安全フックの支持部に取り付けられた磁石の取り付け面の一部又は全部に摩擦係数の高いシリコンゴムなどの薄いシートを取り付ける。【選択図】図１
2004337553.tif 000002
【特許請求の範囲】
【請求項１】
シート型安全フックの固定に磁石を使う場合に、磁石の吸着力を効率的に利用し、フックの保持力を大きくする為の構造。
【発明の詳細な説明】
【０００１】
【発明が解決しようとする課題点】
通常、フックの固定に磁石を使う場合、負荷される荷重に応じてかなり強力なものが必要とされる為、重くかさばり、価格も高くなる。シート型安全フックにこういった磁石を使うと、薄く安価であるという本来の利点を損なう可能性がある。本発明の目的は磁石式シート型安全フックの固定構造を磁石の吸着力を効率的に利用出来るものとすることで、軽く、薄く、安い磁石の使用を可能とすることである。
【０００２】
【課題を解決する為の手段】
シート型安全フックの支持部に取付けられた磁石の取付面の一部又は全部に摩擦係数の高いシリコンゴムなどの薄いシートを取付ける（図１）。
【０００３】
【作  用】
シート型安全フックはその特長から通常のフックに比べ、壁面に対して９０度方向の力が小さく、壁面に沿ってすべる力の割合が大きい。このすべる力を磁石取付面の摩擦係数の高い素材で支えることで比較的小さな力で大きな荷重を保持することが出来る。つまり、本発明の固定構造を使うことで、磁石の吸着力を効率的に利用でき、軽く、薄く、安い磁石の使用が可能となる。
【０００４】
【実施例】
（イ）摩擦係数の高い素材を磁石につける方法は特に限定しない。
【０００５】
【発明の効果】
本発明の構造により、磁石式シート型安全フックが軽く、薄く、安くなる。
【図面の簡単な説明】
【図１】使用状態図
【符号の説明】
１はフック
２は支持部
３は折曲げ可能部
４は磁石
５は摩擦係数の高い素材
６は壁面
【図１】
2004337553.tif 000003
(57)【要約】【課題】従来のストローは、飲み物を吸い上げる際、口中を真空に近い状態にして、そのまま飲み物を飲み込んでしまうため、香りを存分に楽しむことができなかった。そこで香りを引き立て、尚かつ分量も実際より多く感じさせるストローを提供する。【解決手段】ストロー（１）に吸気孔（２）をあけることを特徴とする。【選択図】図１
2004337572.tif 000002
【特許請求の範囲】
【請求項１】
ストローの側面に空気を取り込むための穴をあけたストロー。
【発明の詳細な説明】
この発明はストローの側面に吸気孔をあけることを特徴とするものである。
従来、ストローを使って飲み物を飲む場合には、口中を真空に近い状態にして、吸い上げて飲み込んでいた。そのために、充分に香りを楽しむことができなかった。
本発明はその欠点を除くためになされたもので、それを図１について説明すれば、（１）はストロー本体、（２）は吸気孔である。図２はストローの中央側面に吸気孔をあけたものである。図３はストローの上端と下端に１ヶ所づつ吸気孔をあけたものである。図４はストローの上端数ヶ所に吸気孔をあけたものである。図５は伸縮自在型のストローの上端１ヶ所に吸気孔をあけたものである。図６は伸縮自在型のストローの上端に数ヶ所吸気孔をあけたものである。
本発明はこのような構造であるから、飲み物をストローで吸い上げる際、吸気孔から空気もいっしょに吸い上がるため、口中に飲み物が入った時には、従来よりも香りが際立つものである。また、吸入した空気の分だけ飲み物本体の分量より多く感じさせる効果も発揮するものである。
【図面の簡単な説明】
【図１】本発明の斜視図
【図２】ほかの形態の斜視図
【図３】ほかの形態の斜視図
【図４】ほかの形態の斜視図
【図５】ほかの形態の斜視図
【図６】ほかの形態の斜視図
【符号の説明】
１はストロー本体，２は吸気孔。
【図１】
2004337572.tif 000003
【図２】
2004337572.tif 000004
【図３】
2004337572.tif 000005
【図４】
2004337572.tif 000006
【図５】
2004337572.tif 000007
【図６】
2004337572.tif 000008
(57)【要約】【課題】植物系搾汁を凍結濃縮法によって濃縮する際に生成する氷結を溶融し、植物系有機成分を含有する生成水として生体に有効利用する。また、従来は、これら溶融水は廃液として処理されていたので、河川環境に悪影響を与えるという課題もあったが、この点も利用により同時に解決する。【解決手段】植物系搾汁原料を凍結濃縮法により分離して生成する水は、成分分析の結果、有機成分を一定量含む植物系の生成水として、無添加かつ安全な水であることが判明したので飲料水、化粧品並びに医薬品原料等として生体への有効利用をすすめる。【選択図】  図１
2004337820.tif 000002
【特許請求の範囲】
【請求項１】
果物・野菜等の植物系搾汁を凍結濃縮法により濃縮物を生成する際に生成する水分の氷結のみを溶融し、植物系生成水として飲料水、化粧品並びに医薬品原料として利用する方法。
【発明の詳細な説明】
【０００１】
【発明の属する技術分野】
本発明は、果物・野菜等の植物系搾汁から凍結濃縮法により生成する水分の氷結を溶融した水について成分分析を実施したところ、生体に使用することに適していると判明したので、植物系生成水として生体への利用を図る。
【０００２】
【従来の技術】
従来、果物の搾汁等から濃縮ジュース等を製造する方法として加熱濃縮法、凍結濃縮法がある。加熱濃縮法によると加熱による成分劣化とともに、加熱により水分は蒸発させてしまうので残らない。一方、凍結濃縮法によれば、成分劣化の少ない高品質の濃縮ジュース等を、搾汁の水分を氷結させ分離抽出することができる。しかし、これまでは、この氷結させた搾汁の水分が植物系の有機成分を含有しているにもかかわらず、この水を生体利用に関し全く着目していない。
【０００３】
【解決しようとする課題】
凍結濃縮法による濃縮工程では、原料の搾汁水分を氷結させ、濃縮生成物のみを分離抽出し、氷結は溶融により水とし、全て廃液処理している。また、その廃液を大量に廃棄した場合、有機成分を含むため腐敗し易く、河川流出による環境への悪影響をもたらすこととなる。この生成水は、含有成分の分析結果によると無添加かつ自然の植物系生成水として生体に有効利用できる可能性が極めて高いと考えられる。
【０００４】
【解決するための手段】
凍結濃縮法において一般的な懸濁濃縮法による濃縮工程においては、果汁原料の糖度を計りつつ、ある一定の濃度にするために、相応の凍結工程を経る。さらに同時に凍結生成される氷結は、使用する搾汁原料の有機成分を微量ながら含むため、この氷結を溶融した生成水にはこれらの有機成分が含まれることとなる。しかし、この生成水は、搾汁原料の濃縮度合もしくは相応の凍結工程により含有する有機成分量が変化するか、もしくは一定化しないことが想定される。そこで、搾汁原料のもつ有機成分を一定量含有させた水を生成し飲料水、化粧品並びに医薬品原料等に汎用利用するか、もしくは各々の利用目的に合う規定量の有機成分を含有する水を生成し、最終的にオゾン殺菌等による殺菌を行うことで、無添加かつ安全な植物系の生成水として生体に利用できるようにする。
【０００５】
【発明の実施の形態】
凍結濃縮法による４倍濃縮程度の濃縮により、規定量の果物及び野菜等の搾汁の有機成分量を含む水を生成し、無添加のいわゆる自然水として飲料水、化粧品並びに医薬品原料等として生体への利用範囲を広げる。
【０００６】
【実施例】
【０００７】
リンゴ果汁を凍結濃縮法により４倍濃縮の仕様を設定し、氷結分離した生成水をオゾン殺菌しサンプルとした。
【０００８】
実施例１：オゾン殺菌した生成水の成分分析をしたところ１リットル当の有機成分は、以下のとおりであったので飲料水に適することが判明した。
ビタミンＣ  ０．５ｍｇ以下        乳糖    １ｇ以下
ブドウ糖        １ｇ以下          果糖    １ｇ以下
麦芽糖          １ｇ以下          ショ糖  １ｇ以下
その他有害無機物は、全て許容基準を大幅に下回った。
【０００９】
実施例２：ミネラル分は、微量しか検出されず硬度計算した場合、硬度１以下の超軟水であったので、まろやかな感覚の水として飲料水に適することが判明した。
【００１０】
実施例３：ＰＨ検査をおこなったところ、ＰＨ５．８の弱酸性であり、皮膚ＰＨと同等であり、肌との親和性があることが判明した。
【００１１】
実施例４：乾燥肌の人が一ヶ月間、洗顔後の顔肌に使用してみたが果汁の果糖類による影響と思われるが、肌の潤いが保たれたことから保湿効果があることが確認された。但し、治療薬としての効果は確認できない。
【００１２】
【発明の効果】
凍結濃縮法による生成物は、成分劣化がなく自然のままであり無添加、高品質として評価されているが、一方、製造コストが高く普及していない。日本では地方のジュースメーカーが採用し、また世界的にみてもオーストラリアのメーカーが１社採用している程度と思われる。凍結濃縮法によって生成される水を付加価値生産物として利用することで収益化し、製造トータルコストを引き下げることにより凍結濃縮法による生産が、その方法は各種あるものの、今後普及するものと思われる。凍結濃縮法の普及によって消費者は、高品質の濃縮生成物（例えば、濃縮ジュース）及び本発明による植物系の生成水を安価かつ安定的に供給されることが期待される。
【図面の簡単な説明】
【図１】本サンプルを生成した凍結濃縮法の製造工程を示した平面図である。
【符号の説明】
１．  果汁原料タンク
２．  果汁冷凍パイプ
３．  果汁と氷結の分離タンク
４．  氷結洗浄タンク
５．  氷結溶融パイプ
６．  水排出パイプ（一時貯蔵タンクから殺菌工程へ）
７．  濃縮成分排出（濃縮ジュース貯蔵タンクへ）
【図１】
2004337820.tif 000003
(57)【要約】【課題】水道水等をミネラル水化するためのミネラル水調製剤を提供することを目的とする。【解決手段】カキ殻および炭素材を含有する、ミネラル水調製剤。【選択図】なし【特許請求の範囲】
【請求項１】
カキ殻および炭素材を含有することを特徴とするミネラル水調製剤。
【発明の詳細な説明】
【０００１】
【発明の属する技術分野】
本発明は、水道水等をミネラル水に変換させるために用いられるミネラル水調製剤に関する。
【０００２】
【従来の技術】
近年、水道水は河川の汚染により高度の濾過、殺菌等を行って供給されているが塩素臭が強く、また生臭い臭気等を有することがある。そのために源泉に近い川から採水した水をペットボトル等に充填していわゆるミネラル水として多数市販されている。そしてこのミネラル水は毎年その消費量は増大する傾向にある。しかしながら、これらのミネラル水は高価であるという欠点がある。そこて最近は電気分解を利用してミネラル還元水素水を調製するためのポットタイプの生成器、あるいは水道水を密閉容器に入れ、その中に火山岩の一種である未風化真珠岩を入れ暗冷所に１２〜２４時間放置するミネラル水の素等が市販されている。しかし、ミネラル水生成器は高価であり、また未風化真珠岩の場合は暗冷所等に保存しなければならない等の煩雑な作業が必要であるとう欠点があった。
【０００３】
【発明が解決しようとする課題】
そこで本発明者は、高価な装置を用いず、また煩雑な作業も必要としない、ミネラル水調製剤について種々検討を重ねた結果本発明を完成するに至った。
【０００４】
【課題を解決するための手段】
すなわち、本発明は、カキ殻および炭素材を含有することを特徴とするミネラル水調製剤である。
【０００５】
【発明の実施の形態】
次に、本発明のミネラル水調製剤について説明する。
まず本発明のミネラル水調製剤の一成分であるカキ殻は、軟体動物の二枚貝である“カキ”の貝殻を成分とするものである。貝殻をそのまま使用することもできるが細かく破砕すると単位重量当りの表面積が大きくなるので好ましい。また粗粉、あるいは粉末状、更にはペレット状（団粒化）にしたものはさらに好ましい効果が得られる。これらのカキ殻は軽く焼成したり、沸騰水中で煮沸することが好ましい。
【０００６】
また本発明のミネラル水調製剤の他の成分である炭素材としては、木材、のこくず、木炭、ヤシガラ炭、素灰、泥炭、亜炭、褐炭、瀝青炭、無煙炭等からなる活性炭が挙げられる。
これらの炭素材はそのままの形で使用することもできるが粉末状、破砕状、造粒物等種々の形態で用いることができる。
【０００７】
本発明のミネラル水調製剤におけるカキ殻と炭素材との混合割合は特に制限されるものではないが、特にカキ殻：炭素材の比として１：１〜５：１の割合が好ましい。このカキ殻と炭素材とは混合しても分別しても使用し得るが、再生処理をするためには分別して使用することが好ましい。このカキ殻と炭素材とを混合して使用する場合は、ペレット状（団粒化）させて使用することが好ましい。
【０００８】
また本発明のミネラル水調製剤を用いてミネラル水を調製する場合、通常水１ｌに対しミネラル調製剤を２００〜４００ｇ使用することが好ましい。
【０００９】
本発明のミネラル水調製剤を用いてミネラル水を調製するには通常水中にミネラル水調製剤を３時間以上特に６〜１２時間浸漬しておくことが好ましい。
【００１０】
本発明のミネラル水調製剤は抗菌作用を有することからミネラル水の腐敗を防止して長期間保存することが可能であり、異臭もまったくなく、かつカキ殻中のミネラル分がバランス良く溶出しているのでまろやかな味がする。
【００１１】
本発明のミネラル水調製剤で処理する水としては水道水、井戸水、ダム水等の他、使用目的によっては工業用水も使用することができる。
【００１２】
【実施例】
次に本発明のミネラル水調製剤を用いてミネラル水を製造する具体的な例を示すが、本発明は以下の実施例のみに限定されるものではない。
【００１３】
実施例１
水道水１ｌに袋入りの粗砕カキ殻１００ｇと袋入りの粗砕炭１００ｇとを入れて６時間放置してミネラル水を得た。
このミネラル水を試飲したところカルキ臭がまったくなく、まろやかな味を有していた。
【発明の効果】
本発明のミネラル水調製剤を用いて得られるミネラル水は、抗菌作用を有すると共にバランスのとれた各種ミネラル分を含有し、かつまろやかな味を有する。
また本発明によって得られるミネラル水を用いてお茶、コーヒーを入れると味がよくなり、生花に用いると長持ちし、鉢物等に用いると育ちが良く、虫つきも少なくなる。金魚等の観賞魚やうなぎ、はまち等の養殖魚を飼育すると発育が良く、色彩もあざやかとなり、罹病も極めて少なくなる。さらにペットの飲料水とすることにより毛づやが良くなり罹病も極めて少なくなる。風呂水として使用する場合には温まりがよく、湯冷めをしにくい効果があると共に、お湯の臭気や汚れを少なくしたり石鹸の泡立ちが良くなる等の種々の優れた効果を有する。
(57)【要約】【課題】ガラス面を傷つけずに汚れを取る清掃具を提供する。【解決手段】刃（１）の端を丸くし、且つ、刃先がガラス面に直角に当たらないようにガード（２）を設ける。【選択図】    図１
2004337829.tif 000002
【特許請求の範囲】
【請求項１】
刃（１）の両端の角を丸くし、且つ、刃先がガラス面に直角に当たらないようにガード（２）を設ける。
【発明の詳細な説明】
【０００１】
【発明の属する技術分野】
この道具はガラス面を傷つけないように、ガラス面の付着物を除去する道具である。
【０００２】
【従来の技術】
従来、ヘラ型のスクレーパーで壁や床やガラスなど、何にでも使っていいものはあったが、ガラス面専用として使うには、刃の両端や刃先がガラス面に対し直角に当たり、素人が使うとガラス面が傷つきやすかった。
【０００３】
【発明が解決しようとする課題】
そのため次のような問題点があった。
イ、  刃の両端でガラス面に傷つくことがあった。
ロ、  刃先がガラス面に直角に当たり傷つくことがあった。
ハ、  落としたとき、刃先から当たり危険で刃こぼれもしやすい。
本発明は、以上の問題点を解決するためになされたものである。
【０００４】
【課題を解決するための手段】
刃（１）の両端を丸くする。刃先がガラス面に対し、直角に当たらないようにガード（２）を設ける。
本発明は、以上の構成よりなるガラス清掃具である。
【０００５】
【発明実施の形態】
以下本発明の実施の形態を説明する。
（イ）  刃（１）の両端を丸くする。
（ロ）  ガード（２）を設ける。
本発明は、以上のような構造で、これを使用するときはグリップ（３）を握り、刃（１）をガラス面に当てて、刃先方向に動かして汚れを剥ぎ取る。
【０００６】
【発明の効果】
刃の両端を丸くし、且つ、刃が直角に当たらないので、傷がつきにくい。
【図面の簡単な説明】
【図１】本発明の裏から見た正面図である。
【図２】本発明の側面図である。
【図３】本発明の表から見た正面図である。
【図４】本発明の実施例の正面図である。
【図５】本発明の刃を取り出した正面図、である。
【図６】本発明の実施例の側面図である。
【符号の説明】
１刃、        ２ガード、    ３グリップ、    ４ホルダ、    ５手、
６ガラス面、  ７ガラス面の汚れ、
【図１】
2004337829.tif 000003
【図２】
2004337829.tif 000004
【図３】
2004337829.tif 000005
【図４】
2004337829.tif 000006
【図５】
2004337829.tif 000007
【図６】
2004337829.tif 000008
(57)【要約】      （修正有）【課題】無害性の酸化チタンを用いて環境汚染等を解決する。【解決手段】（１）酸化チタンを洗濯槽のなかにすすぎの段階で投入する事によりその着衣の脱臭、紫外線カット、抗菌のため使用する。（２）風呂場、炊事場、トイレ等の便器、天井、壁面、床に酸化チタンの粉末、液体を散布すると光触媒による防カビ、抗菌のため使用する。（３）酸化チタンを空中散布する事により、浮遊菌、種々の雑菌を殺菌したり抗菌するために使用する。（４）酸化チタンを使用したその後の生活用水が最終的に河川、海などに流れついた場合、その光触媒により、雑菌、有害物質が分解されるので環境保全に役立つものである。【選択図】なし【特許請求の範囲】
【請求項１】
（１）    酸化チタンを洗濯槽の中にすすぎの段階で投入する事によりその衣類の脱臭、紫外線カット、抗菌のため使用する
（２）    風呂場、炊事場、トイレ等の便器、天井、壁面、床に酸化チタンの粉末、液体を散布すると光触媒による防カビ、抗菌のため使用する
（３）    酸化チタンを空中散布する事により、浮遊菌、種々の雑菌を殺菌したり抗菌するために使用する
（４）    酸化チタンを使用したその後の生活用水が最終的に河川、海などに流れ着いた場合、その光触媒により雑菌、有害物質が分解されるので環境保全に役立つものである
【発明の詳細な説明】
［産業上の利用分野］
酸化チタンの粉末及び液体を洗濯中の槽の中に投入したり、風呂場、トイレ、炊事場等に使用したり又は空気中に散布する事により有害物質の分解、抗菌、殺菌効果
家庭用排水の塩素系、リン酸系又は界面活性剤などは環境破壊の元となるが酸化チタンの光触媒効果で環境保全をするとなれば無害性、低価格で又その安全性は計り知れないものである
［従来の技術］
家庭用排水はそのままたれ流しの状態で河川又は海に到着すると環境破壊になるが、酸化チタンの光触媒の効果により環境が保全される
［発明が解決しようとする課題］
本発明の目的は環境汚染等の社会的問題を解決する酸化チタンは無害性のため人体等の害は皆無である
［課題を解決するための手段］
本発明の酸化チタン光触媒によって空気中のあらゆる有害物質が分解されるため環境保全にはなくてはならない物質である
［作  用］
抗菌、脱臭、有害物質を分解したり又死滅させる作用がある
［実施例］
酸化チタンを１，０００倍〜３，０００倍に希釈してその粉末又は液体を散布したり風呂場、炊事場、トイレ等の天井、壁面、床に散布する又、洗濯時のすすぎの段階で洗濯槽の中に投入する
［発明の効果］
空気中の殺菌を死滅させたり屋内の天井、床、壁面等の防カビ、抗菌、殺菌、脱臭、紫外線カット又生活排水等の浄化に効果がある
(57)【要約】【課題】この発明は従来の複式燃料油逆洗コシ器に、超音波発信装置を取付け、コシ網に付着したスラッジ粒子を超音波加速度で分解し、ワックス、アスファルテンの燃料成分は通油中の燃料油に溶解させ、付着した残留固形分は器外に効果的に排出させる機能をもつ超音波スラッジ粉砕燃料油コシ器である。【解決手段】従来の燃料コシ器の中央に、振動子（１）と、超音波をコシ網内側に照射させる円錐形上部下部反射板（２）（３）とを１本の中空軸（４）にセットで取り付ける。これをコシ器差圧発信器（６）で起動させてコシ網に付着したスラッジを分解ししながら残留固形分を逆流洗浄でドレン排出させる機能を設けたことを特徴とする。【選択図】    図１
2004337823.tif 000002
【特許請求の範囲】
【請求項１】
従来の燃料油コシ器の内部中央に超音波振動子（１）と、
この超音波をコシ網の内面に向けて照射するための円錐形上、下反射板（２）（３）とをセットとして（コシ器の寸法が大きい場合は複数組）を１本の中空軸（４）に取り付け、これをコシ器の通油抵抗を検出する差圧発信器（６）により作動させる超音波スラッジ粉砕燃料油コシ器。
【発明の詳細な説明】
【０００１】
【発明に属する技術分野】
この発明は、重油を燃料とするディーゼル機関の入口に配置される従来の複式燃料油逆洗コシ器に周波数１００ＫＨｚ近傍の超音波装置を組み込み、コシ器の通油抵抗が設定差圧値以上に上昇した場合に超音波装置が作動し、
コシ網に付着したスラッジ分を粉砕、除去して、通油抵抗を正常に戻す機能をもたせた超音波スラッジ粉砕燃料油コシ器に関するものである。
【０００２】
【従来の技術】
従来、重油の清浄系統には遠心分離機によりスラッジ分を除去したのち、または、重油を一旦ミキサー又はホモジナイザー等で攪拌、粉砕したのちこの燃料油コシ器で不純物を除去していた。
【０００３】
【発明が解決しようとする課題】
これには次のような欠点があった。
（イ）スラッジは石油精製過程で混入したアルミナ、シリカ、カーボン等の固形分と、その後、燃料タンク貯蔵、加熱中に析出するワックス、アスファルテン成分が凝集し、これらの固形分を被覆増殖するため燃料油との比重差が無くなり、遠心分離機によるスラッジの除去が不十分のまま燃料コシ器に送り込まれるため、必然的にコシ網の目詰りを早めた。
（ロ）通油中にコシ網に付着したスラッジは逆流洗浄工程でコシ網より除去されて器外に排出されるため、これを被覆または凝集したワックス、アスファルテン成分は廃油として処理されたので不経済であった。
（ハ）コシ網（４０〜５０ミクロン精度）に一旦固着した微小固形分は逆流洗浄工程でも除去困難となり、これを除去するにはコシ網を取り出し、化学洗浄を必要とした。
（二）燃料油をミキサーまたはホモジナイザーを使用してスラッジを粉砕する場合でも、凝集してスラッジ化したワックス、アスハルテンは燃料油に十分には溶解出来ずにコシ網に付着した。
本発明は、以上の点を解決するためのものである。
【０００４】
【課題を解決するための手段】
従来の複式燃料油コシ器の内部中央に超音波振動子（１）と、この超音波をコシ網の内面方向に反射させる円錐形上部，下部反射板（２）（３）とをセットにして（コシ器の寸法が大きい場合は複数組）を１本の中空軸（４）に取り付け、超音波を起動させるコシ器の差圧発信器（６）を設ける。
本発明は，以上の構成よりなる超音波スラッジ粉砕燃料油コシ器である。
【０００５】
【発明の実施の形態】
以下、本発明の実施の形態について説明する。
従来の複式油コシ（日本工業規格Ｆ−７２０２）の形状、または此れに類似した形状をもつ複式燃料油逆洗コシ器（９）のコシ網（１０）の中央に、超音波１００ＫＨｚ近傍の周波数と共振する市販の、音圧強度５０Ｗ／ｃｍ２相当（外径約８０ｍｍ）の円板形圧電振動子（１）と、この振動子の外径寸法とほぼ同じ外径の円錐形上部下部反射板（２）（３）を振動子を間に挟んで中空軸（４）に取付ける。
反射板（２）（３）の位置は超音波反射方向（１４）がコシ網内面に照射出来る様に配置する。又この材料は銅材を使用して超音波の非透過性をもたせる。振動子（１）の電極リード線（５）は中空軸（４）の中空部を通して外部の超音波発信器（７）に配線する。
コシ器の出入口差圧発信器（６）、１号２号コシ器切り換え電磁弁（１１）、ドレン電磁弁（１２）と、これらの作動を時間的に制御する６０秒タイマー付制御盤（８）をコシ器（９）の外部に設ける。
本発明は以上のような構成からなり、これが使用されるときは、
通油によりコシ器（９）の出入口差圧が所定の差圧制限値に達すると差圧発信器（６）により制御盤（８）を介して超音波発信器（７）および制御盤内のタイマーが作動して振動子（１）の上面、下面より超音波を放射する。
放射された超音波は上部、下部反射板（２）（３）でコシ網内面を照射しながら、先ず、約２０秒間は付着したスラッジの粒子を超音波加速度により粉砕し、ワックス、アスファルテン成分は燃料油に溶解させ、コシ網（１０）で漉されて、清浄油としてエンジンに送られる。
次ぎの１０秒間では、先ず、コシ器切換え電動弁（１１）及びドレン電磁弁（１２）が作動し、通油中の１号コシ器入口を遮断し、切り替えられた２号コシ器の通油圧により、１号コシ器のコシ網に付着、固着した残留スラッジは逆流洗浄により除去され、絞り弁（１３）を経て器外に排出される。
この逆洗工程の完了でドレン電磁弁（１２）が閉弁して超音波が停止する。
【０００６】
【発明の効果】
タンク貯蔵中にスラッジ化したワックス，アスファルテン成分は通油中に燃料油に溶解し、逆洗行程で排出されたドレンは別置きドレンタンクのコシ網で固形分だけが除去され、残りは燃料油として回収されるので、次のような効果をもたらす。
（ア）省エネ効果を有する。
（イ）スラッジの陸揚げ処理費を削減する。
（ウ）コシ網を化学洗浄する必要がなく、省力化をもたらす。
（エ）音圧パワーは約５０Ｗ／ｃｍ２程度で且つ作動がスラッジ排出工程だけであるので省電力化となる。
（オ）超音波発生装置の構造が非常に簡単である。
【図面の簡単な説明】
【図  １】本発明を構成した機器の配置図
【図  ２】本発明の電気系統図
【図  ３】本発明の要部詳細図
【図  ４】本発明の作動過程を示すフローチャート
【符号の説明】
（１）    超音波振動子
（２）    円錐形上部反射板
（３）    円錐形下部反射板
（４）    振動子電極リード線
（５）    中空軸
（６）    差圧発信器
（７）    超音波発信器
（８）    制御盤
（９）    コシ器
（１０）  コシ網
（１１）  コシ器切替電動弁
（１２）  ドレン電磁弁
（１３）  絞り弁
（１４）  超音波反射方向
（１５）  端子箱
（１６）  振動子外径と同じ寸法
（１７）  交流電源
（１８）  圧電振動子材の厚さ
（１９）  コシ網有効高さ
【図１】
2004337823.tif 000003
【図２】
2004337823.tif 000004
【図３】
2004337823.tif 000005
【図４】
2004337823.tif 000006